(57)【特許請求の範囲】
【請求項１】
第１レンズ群を保持する円筒状の第１レンズ保持部と、
光軸方向において前記第１レンズ群の像面側に位置する第２レンズ群を保持する円筒状の第２レンズ保持部と、
内周面に前記第２レンズ保持部を駆動する内側カム溝が形成され、外周面に第１レンズ保持部を駆動する外側カム溝が形成されているカム筒と、
内周面に前記第１レンズ保持部の光軸または光軸と平行な軸を中心とした回転を規制する第１直進ガイドが形成され、内周側に前記第２レンズ保持部の光軸または光軸と平行な軸を中心とした回転を規制するとともに、前記カム筒の回転軸を中心とした円周方向における前記第１直進ガイドに対する相対移動が規制された第２直進ガイドが形成されたガイド筒と、を備え、
前記第１直進ガイドと前記第２直進ガイドとは、前記カム筒の前記光軸方向における像面側の端部を迂回して設けられた接続部を介して一体として形成されていること、
を特徴とするレンズ鏡筒。
【請求項２】
請求項１に記載のレンズ鏡筒であって、
前記第１直進ガイドは、前記外側カム溝と嵌合するカムピンが設けられた面とは反対側の面で前記第１レンズ保持部と係合して、前記第１レンズ保持部の回転を規制すること、
を特徴とするレンズ鏡筒。
【請求項３】
請求項１又は２に記載のレンズ鏡筒であって、
前記第１直進ガイドと前記第２直進ガイドとは、互いに固着されていること、
を特徴とするレンズ鏡筒。
【請求項４】
請求項１〜３のいずれか１項に記載のレンズ鏡筒であって、
前記第１直進ガイドと前記第２直進ガイドとは、一部品であること、
を特徴とするレンズ鏡筒。
【請求項５】
請求項１〜４のいずれか１項に記載のレンズ鏡筒であって、
前記第１直進ガイド及び前記第２直進ガイドを直進ガイドする第３直進ガイドを備え、
前記第２直進ガイドは、光軸方向と平行に延び、前記第２レンズ保持枠をガイドする第２延在部を有し、
前記第３直進ガイドは、光軸方向と平行に延び、前記第２直進ガイドをガイドする、第３延在部を備え、
前記第３直進ガイドは、前記接続部に設けられたガイド部で前記第１直進ガイド及び前記第２直進ガイドを直進ガイドし、
前記第２延在部と前記第３延在部とは、少なくとも一部が、光軸を中心とした径方向において重なって配置されていること、
を特徴とするレンズ鏡筒である。
【請求項６】
請求項１〜５のいずれか１項に記載のレンズ鏡筒を備えるカメラ。
【発明の詳細な説明】
【技術分野】
【０００１】
本発明は、レンズ鏡筒及びカメラに関するものである。
【背景技術】
【０００２】
円筒面の内周と外周にカムが設けられ、その内周面のカムによって第１のレンズ群が移動され、外周面のカムによって第２のレンズ群が移動されるレンズ鏡筒がある。このような構成において、従来、第１のレンズ群と第２のレンズ群との直進移動をガイドする直進案内部材は、それぞれ別個に設けられている（例えば、特許文献１参照）。
【先行技術文献】
【特許文献】
【０００３】
【特許文献１】特開２００４−８５９３２号公報
【発明の概要】
【発明が解決しようとする課題】
【０００４】
しかし、直進案内部材が２部品になると、それぞれの部品の精度誤差の集積やがたつきによって精度が低下し、良好な光学性能が得られない場合がある。
【０００５】
本発明の課題は、良好な光学性能を得ることが可能なレンズ鏡筒及びカメラを提供することである。
【課題を解決するための手段】
【０００７】
前記課題を解決するために、請求項１の発明は、第１レンズ群を保持する円筒状の第１レンズ保持部と、光軸方向において前記第１レンズ群の像面側に位置する第２レンズ群を保持する円筒状の第２レンズ保持部と、内周面に前記第２レンズ保持部を駆動する内側カム溝が形成され、外周面に第１レンズ保持部を駆動する外側カム溝が形成されているカム筒と、内周面に前記第１レンズ保持部の光軸または光軸と平行な軸を中心とした回転を規制する第１直進ガイドが形成され、内周側に前記第２レンズ保持部の光軸または光軸と平行な軸を中心とした回転を規制するとともに、前記カム筒の回転軸を中心とした円周方向における前記第１直進ガイドに対する相対移動が規制された第２直進ガイドが形成されたガイド筒と、を備え、前記第１直進ガイドと前記第２直進ガイドとは、前記カム筒の前記光軸方向における像面側の端部を迂回して設けられた接続部を介して一体として形成されていること、を特徴とするレンズ鏡筒である。
請求項２の発明は、請求項１に記載のレンズ鏡筒であって、前記第１直進ガイドは、前記外側カム溝と嵌合するカムピンが設けられた面とは反対側の面で前記第１レンズ保持部と係合して、前記第１レンズ保持部の回転を規制すること、を特徴とするレンズ鏡筒である。
請求項３の発明は、請求項１又は２に記載のレンズ鏡筒であって、前記第１直進ガイドと前記第２直進ガイドとは、互いに固着されていること、を特徴とするレンズ鏡筒である。
請求項４の発明は、請求項１〜３のいずれか１項に記載のレンズ鏡筒であって、前記第１直進ガイドと前記第２直進ガイドとは、一部品であること、を特徴とするレンズ鏡筒である。
請求項５の発明は、請求項１〜４のいずれか１項に記載のレンズ鏡筒であって、前記第１直進ガイド及び前記第２直進ガイドを直進ガイドする第３直進ガイドを備え、前記第２直進ガイドは、光軸方向と平行に延び、前記第２レンズ保持枠をガイドする第２延在部を有し、前記第３直進ガイドは、光軸方向と平行に延び、前記第２直進ガイドをガイドする、第３延在部を備え、前記第３直進ガイドは、前記接続部に設けられたガイド部で前記第１直進ガイド及び前記第２直進ガイドを直進ガイドし、前記第２延在部と前記第３延在部とは、少なくとも一部が、光軸を中心とした径方向において重なって配置されていること、を特徴とするレンズ鏡筒である。
請求項６の発明は、請求項１〜５のいずれか１項に記載のレンズ鏡筒を備えるカメラである。
【発明の効果】
【０００８】
本発明によれば、良好な光学性能を得ることが可能なレンズ鏡筒及びカメラを提供することができる。
【図面の簡単な説明】
【０００９】
【図１】撮影待機状態におけるカメラの縦断面を概念的に示す図である。
【図２】図１におけるＡ−Ａ断面図である。
【図３】図１におけるＢ−Ｂ断面図である。
【図４】カメラの鏡筒のテレ端における一部断面斜視図である。
【図５】レンズ鏡筒の伸縮作動状態を説明する概念図であって、（ａ）は沈胴状態，（ｂ）は撮影待機状態，（ｃ）は最伸長状態をそれぞれ示す。
【図６】レンズ鏡筒における直進ガイド筒を斜め前面側から見た斜視図である。
【図７】直進ガイド筒を構成する２群直進ガイド基部の斜視図である。
【発明を実施するための形態】
【００１０】
以下、図面を参照して、本発明の一実施形態について説明する。
図１は、撮影待機状態におけるカメラ１の縦断面を概念的に示す図である。図２は、図１におけるＡ−Ａ断面図である。図３は、図１におけるＢ−Ｂ断面図である。図４は、カメラ１のレンズ鏡筒３のテレ端における一部断面斜視図である。図５は、レンズ鏡筒３の伸縮作動状態を説明する概念図であって、（ａ）は沈胴状態，（ｂ）は撮影待機状態（ワイド端），（ｃ）は最伸長状態（テレ端）をそれぞれ示す。
【００１１】
なお、各図には、説明と理解を容易にするために、ＸＹＺ直交座標系を設けた。この座標系では、撮影者が光軸ＯＡを水平として横長の画像を撮影する場合のカメラ１の位置（以下、正位置という）において撮影者から見て左側に向かう方向をＸプラス方向とする。また、正位置において上側に向かう方向をＹプラス方向とする。さらに、正位置において被写体に向かう方向をＺプラス方向とする。また、以下の説明では、特に言及しない限り、撮影光学系における固定光学系の光軸ＯＡと平行な方向の移動を「直進」、光軸ＯＡ周りの移動を「回転」という。また、撮影光学系の光軸ＯＡと平行な方向を「前後」とし、被写体側を「前面側」、他端側を「背面側」という。
【００１２】
カメラ１は、ボディ部２とレンズ鏡筒３とから構成されたデジタルカメラある。
レンズ鏡筒３は、不使用時にはボディ部２に没入し、使用時にはボディ部２から突出し、さらに焦点距離を変化（ズーミング）させることのできる、いわゆる沈胴式のズームレンズである。つまり、レンズ鏡筒３は、電源が不投入の非撮影状態においては図５（ａ）に示すようにボディ部２の内部に収縮収容され、電源が投入されると図５（ｂ）に示すようにボディ部２の前面側に突出して撮影待機状態となる。本実施形態の構成では、撮影待機状態はズームにおけるワイド端に設定されている。レンズ鏡筒３は、このワイド端である撮影待機状態から、図５（ｃ）に示すテレ端まで伸長する。
なお、本発明は、デジタルカメラに限定されるものではなく、たとえばフィルムを用いるスチルカメラにも適用可能である。
【００１３】
ボディ部２は、ボディ筐体２Ａの内部にセンサユニット４を備えている。
センサユニット４は、ＣＣＤ等の撮像素子４Ａを備えている。センサユニット４は、撮像素子４Ａの撮像面がレンズ鏡筒３の光軸ＯＡと直交する姿勢で、ボディ筐体２Ａに固定されている。センサユニット４は、レンズ鏡筒３によって撮像素子４Ａの撮像面に結像された画像を電気信号に変換して出力する。
【００１４】
レンズ鏡筒３は、前述したように、焦点距離が可変なズームレンズである。レンズ鏡筒３は、当該カメラ１における結像光学系を構成する２組のレンズ群（第１レンズ群Ｌ１および第２レンズ群Ｌ２）を備えている。レンズ群Ｌ１，Ｌ２は、被写体像をセンサユニット４における撮像素子４Ａの撮像面に結像させる。レンズ鏡筒３は、レンズ群Ｌ１，Ｌ２の光軸ＯＡ方向における変位によって、焦点距離が変化する。
【００１５】
そして、カメラ１は、レンズ鏡筒３が備えるレンズ群（第１レンズ群Ｌ１および第２レンズ群Ｌ２）が被写体像光をセンサユニット４における撮像素子４Ａの受光面に結像させ、撮影者による図示しないレリーズボタンの押圧操作によって、センサユニット４０が電気信号に変換した被写体の画像情報を、図示しない記憶装置に記録（撮影）する。これら撮影を含むカメラ１０における全ての動作制御は、図示しない制御装置によって行われる。
【００１６】
つぎに、レンズ鏡筒３について、前述した図１〜図５に加えて図６および図７を参照して詳細に説明する。
図６は、レンズ鏡筒３における直進ガイド筒２０を斜め前面側から見た斜視図である。図７は、直進ガイド筒２０を構成する２群直進ガイド基部８０の斜視図である。
【００１７】
レンズ鏡筒３は、対物（被写体）側から順に、第１レンズ保持枠１０、直進ガイド筒２０、カム外筒３０が、順次大径化する多段式に配設されている。カム外筒３０は、ボディ筐体２Ａと一体に構成された固定筒６０に設けられている。また、第１レンズ保持枠１０の内部にはカム内筒４０が配設され、さらにカム内筒４０の内部には第２レンズ保持枠５０が配設されている。つまり、カム内筒４０は、外周側の第１レンズ保持枠１０と、内周側の第２レンズ保持枠５０との間に設けられている。
【００１８】
固定筒６０は、軸方向（光軸ＯＡ方向）に所定長さの円筒状を呈している。
固定筒６０の内周面には、カム外筒３０の移動を案内する直進溝６１と、カム外筒３０を移動駆動するヘリコイド溝６２とが、形成されている。直進溝６１は、光軸ＯＡと平行に（Ｚ軸方向に）延設されている。ヘリコイド溝６２は、光軸ＯＡに対して所定の角度を有して（周方向において光軸ＯＡ方向の位置が変位する螺旋状に）形成されている。直進溝６１とヘリコイド溝６２とは、たとえば、それぞれ周方向に二条ずつ形成されている。
【００１９】
直進溝６１には、後述するカム外筒３０における端面板７０のガイド突起７１が、摺動移動可能に嵌合している。
ヘリコイド溝６２には、カム外筒３０の外周に突設された駆動ピン３１が摺動移動可能に嵌合している。
【００２０】
カム外筒３０は、固定筒６０の内周に嵌合する円筒状であって、光軸ＯＡ方向に所定長さに形成されている。
カム外筒３０の外周には、ヘリコイド溝６２に摺動移動可能に嵌合する駆動ピン３１が突設されている。
カム外筒３０の内周面には、カム内筒４０を移動駆動するカム溝３２と、カム内筒４０の移動を案内する直進連動溝３３とが形成されている。
【００２１】
カム溝３２は、周方向において光軸ＯＡ方向の位置が所定の関係で変位するように形成されている。カム溝３２は、本実施形態では、周方向に３条形成されている。カム溝３２には、後述する直進ガイド筒２０におけるカムピン２１が嵌合している。
直進連動溝３３は、光軸ＯＡと平行に形成されている。直進連動溝３３は、周方向に所定間隔で２条形成されている。直進連動溝３３には、後述するカム内筒４０に植設された連動ピン４３が摺動移動可能に嵌合している。
カム外筒３０の背面側の端部には、端面板７０が設けられている。端面板７０は、カム外筒３０の端部に、光軸ＯＡ方向に相対移動不能且つ相対回転は可能として設けられている。
【００２２】
端面板７０は、その外周縁に、ガイド突起７１を備えている。ガイド突起７１は、固定筒６０の直進溝６１と対応して設けられており、固定筒６０の直進溝６１に摺動移動可能に嵌合している。
また、端面板７０は、その前面側に後述するカム内筒４０の移動を案内する直進ガイド７２を備えている。
【００２３】
直進ガイド７２は、光軸ＯＡを中心とする円弧状で周方向に所定幅を有する薄い板状であって、光軸ＯＡ方向に所定の長さに形成されている。直進ガイド７２は、周方向に略等間隔（すなわち略１８０°間隔）で２カ所設けられている。直進ガイド７２は、後述する直進ガイド筒２０における直進ガイド孔８３に、摺動移動可能として嵌合している。
【００２４】
カム外筒３０は、図示しない駆動モータ等によって回転駆動され、固定筒６０に対して回転するようになっている。
カム外筒３０は、回転駆動されることによって、固定筒６０のヘリコイド溝６２によって駆動ピン３１を介して移動操作され、ヘリコイド溝６２の変位に従って光軸ＯＡ方向に移動する。一方、端面板７０は、直進ガイド７２が固定等６０の直進溝６１に規定されるため、回転することなくカム外筒３０に伴って光軸ＯＡ方向に移動する。つまり、カム外筒３０は回転しつつ直進し、端面板７０は回転することなく直進する。
【００２５】
直進ガイド筒２０は、図６に示すように、光軸ＯＡ方向に所定幅を有する概略円筒状に形成されている。
直進ガイド筒２０の外周には、カムピン２１が突設されている。カムピン２１は、周方向に所定間隔で３カ所設けられている。各カムピン２１は、それぞれカム外筒３０の内周面に形成されたカム溝３２に摺動移動可能に嵌合している。
【００２６】
直進ガイド筒２０の内周面には、第１直進ガイド溝２２が形成されている。
第１直進ガイド溝２２は、所定幅で所定深さに形成されている。第１直進ガイド溝２２は、周方向に所定間隔で３カ所設けられている。第１直進ガイド溝２２には、後述する第１レンズ保持枠１０における直進突起１１が摺動移動可能に嵌合している。  
【００２７】
また、直進ガイド筒２０は、図２および図６に示すように、その内周側に、２群直進ガイド８１（８１Ａ，８１Ｂ）を備えている。
２群直進ガイド８１は、周方向に等間隔で２カ所（すなわち１８０°間隔）に設けられている。一方の２群直進ガイド８１Ａは、周方向に所定幅の平板状に形成されている。他方の２群直進ガイド８１Ｂは、光軸ＯＡを中心とする円弧状であって、その幅は２群直進ガイド８１Ａより狭い。
【００２８】
２群直進ガイド８１（８１Ａ，８１Ｂ）は、直進ガイド筒２０の背面側端部の内周側に突設された支持腕部８２（８２Ａ，８２Ｂ）の内周側先端部から、光軸ＯＡと平行に前面側に向かって所定長さに延設されている。これにより、２群直進ガイド８１（８１Ａ，８１Ｂ）は、直進ガイド筒２０の内周側に配置されたカム内筒４０のさらに内周側に位置している。つまり、カム内筒４０の背面側に位置する支持腕部８２が直進ガイド筒２０の内周側に位置するカム内筒４０の背面側を迂回して、干渉を回避した状態でカム内筒４０の内周側に２群直進ガイド８１を支持している。これにより、２群直進ガイド８１は、カム内筒４０と径方向において重合して位置している。
２群直進ガイド８１（８１Ａ，８１Ｂ）は、後述する第２レンズ保持枠５０における直進ガイドスリット５４に、摺動移動可能に嵌合している。
【００２９】
また、支持腕部８２（８２Ａ，８２Ｂ）には、直進ガイド孔８３が形成されている。直進ガイド孔８３は、カム外筒３０に装着された端面板７０における直進ガイド７２と対応する形状で、支持腕部８２を光軸ＯＡ方向前後に貫通して形成されている。直進ガイド孔８３には、前述したように、直進ガイド７２が摺動移動可能に嵌合している。このように、直進ガイド７２が通るガイド孔８３を、２群直進ガイド８１（８１Ａ，８１Ｂ）を設けるための支持腕部８２に形成したので、別途、ガイド孔８３を形成する場所を設ける必要がなく、スペース効率が良い。
【００３０】
さらに、直進ガイド７２が通るガイド孔８３を、２群直進ガイド８１（８１Ａ，８１Ｂ）を設けるための支持腕部８２に形成したことにより、以下の効果も生じる。
２群直進ガイド基部８０が直進ガイド孔８３において（図中Ｄ１点）円周方向反時計周りに力Ｆを受けている場合、２群直進ガイド基部８０は２群直進ガイド８１Ａ（図中Ｃ点）において、円周方向時計周りに力Ｆを受ける。このときＣ点とＤ１点（寸法ｌ１の領域）にたわみを生じる。
仮に、直進ガイド孔８３が円周方向の位置が時計回りに９０度ずれていた場合のＡ点とＤ２点との間の寸法をｌ２とすると、ｌ１＜ｌ２となる。Ｃ点とＤ２点には、その間の寸法が１１であってもｌ２であっても力Ｆが掛かる。そのため、寸法ｌが短ければ短いほど２群直進ガイド基部８０のＣ点とＤ点との間のたわみ量は小さくなる。
本実施形態において、直進ガイド孔８３と２群直進ガイド８１とが円周方向に重なる位置に配置されているので（即ち、Ｃ点とＤ２点との距離が短いため）、２群直進ガイド基部８０のたわみが小さくなる。このように２群直進ガイド基部８０のたわみが小さいので、カム内筒４０の光軸方向の位置精度が高くなり、各レンズの光軸方向の位置精度が高くなる。
【００３１】
直進ガイド筒２０は、さらに、その背面側端部の内周側に係合内縁部８４を備えている。
係合内縁部８４は、直進ガイド筒２０の背面側の端面に沿って、略矩形の断面形状で内周側に突出形成されている。係合内縁部８４は、２群直進ガイド８１（８２Ａ，８２Ｂ）の形成域を除く領域に形成されている。係合内縁部８４は、後述するカム内筒４０に形成された係合溝４４に、摺動移動可能に嵌合している。
【００３２】
上記のように構成された直進ガイド筒２０は、カム外筒３０の回転（および回転に伴う直進）に伴って、そのカム溝３２によってカムピン２１を介して移動操作され、端面板７０の直進ガイド７２に沿って直進移動する。
【００３３】
ここで、直進ガイド筒２０は、図６に示すように、本体部２０Ａと、２群直進ガイド基部８０の２部品を組み立てて形成されている。
本体部２０Ａは、所定肉厚で光軸ＯＡ方向に所定長さの円筒状の部材であって、内周面に第１直進ガイド溝２２を備えている。また、本体部２０Ａは、背面側の内周縁に、係合突部２３を備えている。係合突部２３は、後述する２群直進ガイド基部８０が備える係合爪８５と対応する位置（周方向に３カ所）に、それぞれ周方向に所定幅で形成されている。
【００３４】
２群直進ガイド基部８０は、図７に示すように、本体部２０Ａと一致する外径の円環状で、その内周に係合内縁部８４と、支持腕部８２（８２Ａ，８２Ｂ）と、その支持腕部８２（８２Ａ，８２Ｂ）の内周側先端部から延びる上述の２群直進ガイド８１（８１Ａ，８１Ｂ）を備えている。また、２群直進ガイド基部８０は、その前面側に、係合爪８５を備えている。
【００３５】
係合爪８５は、前面側に突出する腕部の外周側に、本体部２０Ａにおける係合突部２３に係合する背面と、先細りする傾斜の先端面とを備えた、いわゆるスナップフィットである。係合爪８５は、周方向に所定間隔で３カ所、それぞれ所定の幅で形成されている。
そして、係合爪８５は、本体部２０Ａに対して２群直進ガイド基部８０を所定位置に合致させると、先端面が本体部２０Ａの係合突部２３に当接して腕部が内周側に弾性変形し、本体部２０Ａにおける係合突部２３の前面側に図６に示すように係合する。
【００３６】
このように、係合爪８５によって本体部２０Ａと２群直進ガイド基部８０とが結合されて、１つの部品としての直進ガイド筒２０を構成している。このため、第２直進ガイド８１は第１直進ガイド溝２２に対する周方向の回転が規制される。即ち、第２直進ガイド８１と第１直進ガイド溝２２とは互いに、カム内筒４０の回転軸を中心とする円周方向における回転が規制されている。なお、本体部２０Ａと２群直進ガイド基部８０との接合部には、必要に応じて接着剤を併用して固着する構成としても良い。  このように、複雑な形状の直進ガイド筒２０を、本体部２０Ａと、２群直進ガイド基部８０の２部品を組み立てて形成する構成とすることにより、制作が容易となってコストダウンが可能となる。
【００３７】
第１レンズ保持枠１０は、直進ガイド筒２０の内周に嵌合する円筒状に形成されている。
第１レンズ保持枠１０の前面側には、第１レンズ群Ｌ１が装着されている。
第１レンズ保持枠１０の外周には、直進突起１１が突設されている。直進ガイド突起１１は、直進ガイド筒２０における第１直進ガイド溝２２と対応して、周方向に３カ所設けられている。前述したように、直進突起１１は、直進ガイド筒２０の第１直進ガイド溝２２に摺動移動可能に嵌合している。
また、第１レンズ保持枠１０の内周には、駆動カムピン１２が突設されている。駆動カムピン１２は、後述するカム内筒４０の外周面に形成された外周カム溝４１に摺動移動可能に嵌合している。
これにより、第１レンズ保持枠１０は、光軸ＯＡを中心とした回転が規制された状態で、直進ガイド筒２０の第１直進ガイド溝２２に沿って光軸ＯＡ方向に移動可能に設けられている。第１レンズ保持枠１０の移動操作は、後述するカム内筒４０の回転に伴ってその外周カム溝４１によって駆動カムピン１２を介して行われるようになっている。
【００３８】
カム内筒４０は、第１レンズ保持枠１０の内周に嵌合する外径の円筒状に形成されている。また、その内径は、第２レンズ保持枠５０の外周に嵌合するように設定されている。
カム内筒４０は、外周面に第１レンズ保持枠１０を駆動する外周カム溝４１が形成され、内周面に第２レンズ保持枠５０を駆動する内周カム溝４２が形成されている。つまり、カム内筒４０は、その内外周面にカム溝（外周カム溝４１および内周カム溝４２）が形成されている。
【００３９】
外周カム溝４１は、周方向において光軸ＯＡの位置が所定の関係で変位するように形成されている。外周カム溝４１には、前述したように、第１レンズ保持枠１０の内周に突設された駆動カムピン１２が摺動移動可能に嵌合している。
内周カム溝４２は、周方向において光軸ＯＡの位置が所定の関係で変位するように形成されている。内周カム溝４２には、後述する第２レンズ保持枠５０の外周に突設されたカムピン５３が摺動移動可能に嵌合している。
また、カム内筒４０の背面側の端部近傍に、係合溝４４が光軸ＯＡと直交する周方向に形成されている。係合溝４４には、直進ガイド筒２０における係合内縁部８４が、周方向には移動可能（回転可能）且つ光軸ＯＡ方向には移動不能に嵌合している。
【００４０】
さらに、カム内筒４０の背面側の端部の外周側に、連動ピン４３が突設されている。
連動ピン４３は、カム内筒４０の周方向に等間隔で２本（すなわち１８０°間隔で）設けられている。連動ピン４３は、その軸方向をカム内筒４０の径方向に沿って（光軸ＯＡから放射状に）設けられている。連動ピン４３は、ステンレス合金鋼等によって所定径の軸状に形成され、カム内筒４０に植設（またはインサート成形）されている。なお、連動ピン４３はカム内筒４０と同素材で一体成形しても良い。
連動ピン４３は、直進ガイド筒２０の背面側に位置し、前述したようにカム外筒３０の直進連動溝３３に摺動移動可能に嵌合している。
【００４１】
上記構成のカム内筒４０は、カム外筒３０の回転に連動ピン４３を介して連動回転する。また、係合溝４４には、カム外筒３０の回転によって直進移動する直進ガイド筒２０における係合内縁部８４が嵌合しているため、カム内筒４０は、直進ガイド筒２０に伴って直進移動する。
つまり、カム内筒４０は、カム外筒３０の回転に伴って回転し、カム外筒３０の回転による直進ガイド筒２０の直進に伴って直進移動する。
カム外筒３０に対するカム内筒４０の直進方向の相対移動は、連動ピン４３が直進連動溝３３に沿って移動することで許容される。
カム内筒４０は、その回転によって、外周側に位置する前述した第１レンズ保持枠１０（第１レンズ群Ｌ１）と、内周側に位置する後述する第２レンズ保持枠５０（第２レンズ群Ｌ２）の両者を、移動操作する。
【００４２】
上記のような構成では、直進ガイド筒２０とカム内筒４０とは、相対回転はするが、光軸方向ＯＡにおける位置は基本的に変わらない。つまり、カム内筒４０が備える連動ピン４３は、直進ガイド筒２０に対して回転はするが、直進ガイド筒２０の背面側の端面に対する光軸ＯＡ方向における相対位置は変化しない。
【００４３】
ここで、直進ガイド筒２０における背面側の端面には、円形板バネ９０が設けられている。
円形板バネ９０は、直進ガイド筒２０の背面側の端面と対応する円環状に形成されている。円形板バネ９０は、直進ガイド筒２０と連動ピン４３との間に介在し、少なくとも当該レンズ鏡筒３のズーミング範囲における直進ガイド筒２０に対する連動ピン４３の回動範囲において、両者の間隔を広げる方向に付勢するように形成されている。この円形板バネ９０による付勢力は、カム内筒４０における係合溝４４に対して、直進ガイド筒２０における係合内縁部８４を前面側に押圧するように作用する。その結果、係合溝４４と係合内縁部８４との嵌合隙間は、一方側（背面側）に偏在することとなり、ズーミング作動時における両者の相対回転時のガタ付き（カム内筒４０に対する直進ガイド筒２０のガタ付き）が防がれる。これにより、カム内筒４０と直進ガイド筒２０とがガタ付くことに起因する光学性能の劣化を抑制できる。
【００４４】
第２レンズ保持枠５０は、カム内筒４０の内周に嵌合する略円筒状の外周部５１と、第２レンズ群Ｌ２を支持する内周部５２とを備えている。
内周部５２には、第２レンズ群Ｌ２が装着されている。
外周部５１の外周には、カムピン５３が突設されている。カムピン５３は、カム内筒４０における内周カム溝４２と対応して周方向に所定間隔で複数設けられている。前述したように、カムピン５３は、カム内筒４０における内周カム溝４２に摺動移動可能に嵌合している。
【００４５】
また、外周部５１は、直進ガイドスリット５４（５４Ａ，５４Ｂ）を備えている。直進ガイドスリット５４（５４Ａ，５４Ｂ）は、それぞれ直進ガイド筒２０における２群直進ガイド８１（８２Ａ，８２Ｂ）と円周方向に対応する位置に設定されている。
直進ガイドスリット５４は、２群直進ガイド８１と対応する幅で、外周部５１を光軸ＯＡ方向に貫通して形成されている。直進ガイドスリット５４には、前述したように、２群直進ガイド８１が光軸ＯＡ方向に摺動移動可能に嵌合している。
これにより、第２レンズ保持枠５０は、直進ガイド筒２０における２群直進ガイド８１に規定されて、光軸ＯＡを中心とした回転を規制された状態で、光軸ＯＡ方向に移動可能に設けられている。
【００４６】
第２レンズ保持枠５０は、カム内筒４０の回転によるカム内筒４０における内周カム溝４２の光軸ＯＡ方向における変位に従ってカムピン５３を介して移動操作され、群直進ガイド８１に沿って直進駆動される。前述したように、カム内筒４０はカム外筒３０の回転に伴って回転する。従って、第２レンズ保持枠５０は、カム外筒３０の回転によって直進駆動される。
【００４７】
上記のように構成されたレンズ鏡筒３は、図示しない駆動モータによるカム外筒３０の回転駆動によって、第１レンズ群Ｌ１（第１レンズ保持枠１０）および第２レンズ群Ｌ２（第２レンズ保持枠５０）が光軸方向に移動操作される。これに伴って、レンズ鏡筒３は、伸縮する。すなわち、レンズ鏡筒３は、図５（ａ）に示す沈胴状態と図５（ｃ）に示すテレ端との間で、途中図５（ｂ）に示す撮影待機状態（ワイド端）を挟んで伸縮する。
【００４８】
図５（ａ）に示す沈胴状態は、固定筒６０の内部に、カム外筒３０、直進ガイド筒２０、第１レンズ保持枠１０、カム内筒４０および第２レンズ保持枠５０が、略重合した状態で格納されている。この沈胴状態は、カメラ１の電源が不投入の非撮影時における状態である。
【００４９】
沈胴状態から、カメラ１の電源が投入（ＯＮ）されると、カム外筒３０が所定角度回転駆動されて、図１および図５（ｂ）に示す撮影待機状態（ワイド端）となる。
すなわち、カム外筒３０が回転駆動されると、カム外筒３０は回転しつつ直進し、固定筒６０から所定位置まで突出する。このカム外筒３０の回転および直進に伴って、カム内筒４０も回転しつつ直進する。このカム内筒４０の直進により、直進ガイド筒２０が直進する。また、カム内筒４０の回転によって、第１レンズ保持枠１０（第１レンズ群Ｌ１）と第２レンズ保持枠５０（第２レンズ群Ｌ２）とが所定の関係で直進操作される。これにより、第１レンズ群Ｌと第２レンズ群Ｌ２とが、当該レンズ鏡筒３におけるワイド端における焦点距離の位置となる。
【００５０】
レンズ鏡筒３は、撮影時においてはこのワイド端である撮影待機状態を基準位置として、カメラ１の操作に応じて望遠側にズーミングする。望遠側へのズーミングは、カム外筒３０の回転によって行われる。このカム外筒３０の回転は、前述した沈胴状態から撮影待機状態への駆動と連続する同方向である。
【００５１】
望遠側へのズーミングは、カム外筒３０の回転駆動によってカム内筒４０が回転しつつ直進し、これに伴って直進ガイド筒２０が直進する。また、カム内筒４０の回転によって、第１レンズ保持枠１０（第１レンズ群Ｌ１）と第２レンズ保持枠５０（第２レンズ群Ｌ２）とが所定の関係で直進操作される。
図４および図５（ｃ）に示すテレ端では、第１レンズ群Ｌと第２レンズ群Ｌ２とが、当該レンズ鏡筒３における最長の焦点距離の位置となる。これが、レンズ鏡筒３は最も伸長した状態である。
【００５２】
以上、本実施形態によると、以下の効果を有する。
（１）レンズ鏡筒３は、カム内筒４０によって、その外周側に位置する第１レンズ保持枠１０と、その内周側に位置する第２レンズ保持枠５０とを移動駆動する。また、直進ガイド筒２０は、その第１直進ガイド溝２２が第１レンズ保持枠１０の光軸ＯＡと平行な移動をガイドし、その２群直進ガイド８２が第２レンズ保持枠５０の光軸ＯＡと平行な移動をガイドする。つまり、１つの直進ガイド筒２０によって、カム内筒４０の内外周に位置する第１レンズ保持枠１０と第２レンズ保持枠５０との、光軸ＯＡと平行な移動をガイドする。これにより、別個の部材によってそれぞれガイドする構成に比較して、部品の精度誤差の集積やガタ付きによって生ずる精度低下を防ぐことができる。従って、第１レンズ保持枠１０が保持する第１レンズ群Ｌ１と、第２レンズ保持枠５０が保持する第２レンズ群Ｌ２の相対位置精度を高めることができ、高い光学性能が得られる。
【００５３】
（２）直進ガイド７２が通るガイド孔８３を、２群直進ガイド８１（８１Ａ，８１Ｂ）を設けるための支持腕部８２に形成したので、別途、ガイド孔８３を形成する場所を設ける必要がなく、スペース効率が良い。
さらに、直進ガイド７２が通るガイド孔８３を、２群直進ガイド８１（８１Ａ，８１Ｂ）を設けるための支持腕部８２に形成したことにより、以下の効果も生じる。
２群直進ガイド基部８０が直進ガイド孔８３において（図中Ｄ１点）円周方向反時計周りに力Ｆを受けている場合、２群直進ガイド基部８０は２群直進ガイド８１Ａ（図中Ｃ点）において、円周方向時計周りに力Ｆを受ける。このときＣ点とＤ１点（寸法ｌ１の領域）にたわみを生じる。
仮に、直進ガイド孔８３が円周方向の位置が時計回りに９０度ずれていた場合のＣ点とＤ２点との間の寸法をｌ２とすると、ｌ１＜ｌ２となる。Ｃ点とＤ２点には、その間の寸法が１１であってもｌ２であっても力Ｆが掛かる。そのため、寸法ｌが短ければ短いほど２群直進ガイド基部８０のＣ点とＤ点との間のたわみ量は小さくなる。
本実施形態において、直進ガイド孔８３と２群直進ガイド８１とが円周方向に重なる位置に配置されているので（即ち、Ｃ点とＤ２点との距離が短いため）、２群直進ガイド基部８０のたわみが小さくなる。このように２群直進ガイド基部８０のたわみが小さいので、カム内筒４０の光軸方向の位置精度が高くなり、各レンズの光軸方向の位置精度が高くなる。
【００５４】
（３）レンズ鏡筒３における直進ガイド筒２０は、本体部２０Ａと２群直進ガイド基部８０とが係合爪８５によって結合されて形成されている。これにより、複雑な形状の直進ガイド筒２０の制作が容易となってコストダウンが可能となる。
【００５５】
（変形形態）
以上、説明した実施形態に限定されることなく、以下に示すような種々の変形や変更が可能であり、それらも本発明の範囲内である。
（１）本実施形態では、全ての部材が基本的に光軸ＯＡを中心とする円筒状に構成され、カム外筒３０およびカム内筒４０等は光軸ＯＡを中心として回転する構成となっている。しかし、これに限らず、回転の周方向において、一方の直進ガイドが他方の直進ガイドに対して回転が規制されているのであれば、光軸ＯＡから偏芯した軸を中心として回転して作用する構成としても良い。
【００５６】
（２）また、本実施形態では、直進ガイド筒２０を本体部２０Ａと２群直進ガイド基部８０との２部品を組み合わせて構成した。しかし、必ずしも２部品によって構成しなければならないものではなく、一体成形等によってはじめから１部品として形成しても良い。１部品として形成することで、より一層高い精度が得られる。また、逆に３部品を組み合わせて構成しても良く、さらに、２部品を組み合わせて構成する場合でも、その分割構成等は適宜設定可能である。
【００５７】
なお、実施形態及び変形形態は、適宜組み合わせて用いることもできるが、詳細な説明は省略する。また、本発明は以上説明した実施形態によって限定されることはない。
【符号の説明】
【００５８】
１：カメラ１、３：レンズ鏡筒、Ｌ１：第１レンズ群、Ｌ２：第２レンズ群、１０：第１レンズ保持枠、２０：直進ガイド筒、２０Ａ：本体部、２２：第１直進ガイド溝、４０：カム内筒、４１：外周カム溝、４２：内周カム溝、７２：直進ガイド、８０：２群直進ガイド基部、８１：２群直進ガイド
【図１】
0005573026.tif 000002
【図２】
0005573026.tif 000003
【図３】
0005573026.tif 000004
【図４】
0005573026.tif 000005
【図５】
0005573026.tif 000006
【図６】
0005573026.tif 000007
【図７】
0005573026.tif 000008